(57)【要約】【課題】  本発明はデザインの多様化を図ることができるとともに、安価で、製造が容易な装身具を得るにある。【解決手段】指輪、ブレスレット、ペンダント、イヤリング等の装身具本体と、この装身具本体の外表面に形成された凹部と、この凹部の底面に設けられた着色あるいは模様がプリントされたシールと、このシールを覆うように前記凹部内に充填された透明あるいは半透明な合成樹脂材製のカバーとで装身具を構成している。【選択図】  図１
2006102196.tif 000002
【特許請求の範囲】
【請求項１】
指輪、ブレスレット、ペンダント、イヤリング等の装身具本体と、この装身具本体の外表面に形成された凹部と、この凹部の底面に設けられた着色あるいは模様がプリントされたシールと、このシールを覆うように前記凹部内に充填された透明あるいは半透明な合成樹脂材製のカバーとからなることを特徴とする装身具。
【請求項２】
指輪、ブレスレット、ペンダント、イヤリング等の装身具本体と、この装身具本体の外表面にリング状の溝あるいは所定の輪郭形状の凹部等の凹部と、この凹部の底面全体を覆うように接着固定された着色あるいは模様がプリントされたシールと、このシールを覆うように前記凹部内に充填された透明あるいは半透明な合成樹脂材製のカバーとからなることを特徴とする装身具。
【請求項３】
シールは色紙、立体色紙、表面に模様がプリントされた模様紙、背面に接着剤あるいは粘着剤が塗布された色紙、立体色紙、模様紙であることを特徴とする請求項１、２いずれかに記載の装身具。
【発明の詳細な説明】
【技術分野】
【０００１】
本発明は指輪、ブレスレット、ペンダント、イヤリング、ブローチ等の装身具に関する。
【背景技術】
【０００２】
従来の指輪等の装身具は、貴金属や宝石をデザインして商品化を図っている。
【０００３】
このため、デザインが限定されるとともに、高価なものになるという欠点があった。
【特許文献１】特開平１０−１５１００８
【発明の開示】
【発明が解決しようとする課題】
【０００４】
本発明は以上のような従来の欠点に鑑み、デザインの多様化を図ることができるとともに、安価で、製造が容易な装身具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は指輪、ブレスレット、ペンダント、イヤリング等の装身具本体と、この装身具本体の外表面に形成された凹部と、この凹部の底面に設けられた着色あるいは模様がプリントされたシールと、このシールを覆うように前記凹部内に充填された透明あるいは半透明な合成樹脂材製のカバーとで装身具を構成している。
【発明の効果】
【０００７】
以下の説明から明らかなように、本発明にあっては次に列挙する効果が得られる。
【０００８】
（１）指輪、ブレスレット、ペンダント、イヤリング等の装身具本体と、この装身具本体の外表面に形成された凹部と、この凹部の底面に設けられた着色あるいは模様がプリントされたシールと、このシールを覆うように前記凹部内に充填された透明あるいは半透明な合成樹脂材製のカバーとで構成されているので、凹部の底面に設けられたシールを透明あるは半透明なカバーを介して見ることができる。
したがって、異なるシールを用いることにより、容易にデザインの異なる装身具を製造することができる。
【０００９】
（２）前記（１）によって凹部、シールおよびカバーを用いるだけでよいので、製造が容易で、安価に製造することができる。
【００１０】
（３）前記（１）によって、シールの着色や模様あるいは形状を変えるだけで、多様なデザインを施すことができる。
【００１１】
（４）前記（１）によって、シールはプリントが容易な紙でも、カバーによって損傷するのを防止でき、長期間使用することができる。
【００１２】
（５）請求項２、３も前記（１）〜（４）と同様な効果が得られる。
【発明を実施するための最良の形態】
【００１３】
以下、図面に示す本発明を実施するための最良の形態により、本発明を詳細に説明する。
【００１４】
図１ないし図６に示す本発明を実施するための最良の第１の形態において、１は本発明の指輪としての装身具で、この装身具１は金属、貴金属等でリング状に形成された装身具本体２と、この装身具本体２の外周部に形成されたリング溝状の凹部３と、この凹部３の底面に接着剤や粘着剤で固定された着色あるいは模様４がプリントされた色紙、立体色紙、模様紙等のシール５と、このシール５を覆うように前記凹部３内に充填された透明あるいは半透明な、光あるいは熱硬化性等の合成樹脂材製のカバー６とで構成されている。
【００１５】
上記構成の指輪としての装身具１は、凹部３の底面に固定するシール５の着色や模様等がカバー６を介して見ることができるため、シール５をかえることによりデザインがかわり、容易にデザインの異なる装身具１の製造ができるとともに、シール５が紙材であっても、合成樹脂材製のカバー６で覆われているため、水につけても損傷することなく、長期間変色したりすることなく、使用することができる。
[発明を実施するための異なる形態]  
【００１６】
次に、図７ないし図２４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図７ないし図９に示す本発明を実施するための第２の形態において、前記本発明を実施するための最良の第１の形態と主に異なる点は、装身具本体２の外周部に複数個の凹部３Ａ、３Ａ、３Ａ、３Ａを形成し、該凹部３Ａ、３Ａ、３Ａ、３Ａに異なるシール５Ａ、５Ａ、５Ａ、５Ａを設けて、カバー６Ａ、６Ａ、６Ａ、６Ａした点で、このように構成した装身具１Ａにしても、前記本発明を実施するための最良の第１の形態と同様な作用効果が得られるトともに、位置をかえて使用することにより、異なる装身具であるかのように見せることができる。
【００１８】
図１０ないし図１２に示す本発明を実施するための第３の形態において、前記本発明を実施するための第２の形態と主に異なる点は、装身具本体２に輪郭形状がそれぞれ異なる複数個の凹部３Ａ、３Ｂ、３Ｃ、３Ｄを形成するとともに、該凹部３Ａ、３Ｂ、３Ｃ、３Ｄの輪郭形状とほぼ同じ形状のシール５Ａ、５Ｂ、５Ｃ、５Ｄとカバー６Ａ、６Ｂ、６Ｃ、６Ｄを用いた点で、このように構成した装身具１Ｂにしても、前記本発明を実施するための第２の形態と同様な作用効果が得られる。
【００１９】
図１３ないし図１５に示す本発明を実施するための第４の形態において、前記本発明を実施するための最良の第１の形態と主に異なる点は、ブレスレットとして使用できる装身具本体２Ａに複数本のリング溝状の凹部３、３、３を形成し、該凹部３、３、３にシール５、５、５とカバー６、６、６を設けた点で、このように構成したブレスレットとして使用できる装身具１Ｃにしても、前記本発明を実施するための最良の第１の形態と同様な作用効果が得られる。
なお、本発明を実施する形態でも、前記本発明を実施するための第２、第３の形態の凹部とシールを用いることができる。
【００２０】
図１６ないし図１８に示す本発明を実施するための第５の形態において、前記本発明を実施するための第４の形態と主に異なる点は、ペンダントとして使用できるチェーン挿入リング７が形成された装身具本体２Ｂに複数本の溝状の凹部３Ｅ、３Ｅ、３Ｅを形成し、該凹部３Ｅ、３Ｅ、３Ｅにシール５Ｅ、５Ｅ、５Ｅとカバー６Ｅ、６Ｅ、６Ｅを設けた点で、このように構成したペンダントとして使用できる装身具１Ｄにしても、前記本発明を実施するための第４の形態と同様な作用効果が得られる。
なお、前記本発明を実施する形態でも、前記本発明を実施するための第２、第３の形態の凹部とシールを用いることができる。
【００２１】
図１９ないし図２１に示す本発明を実施するための第６の形態において、前記本発明を実施するための最良の第１の形態と主に異なる点は、イヤリングとして使用することができる、魚つりの重り形状の取付具８を取付けるリング９が形成された装身具本体２Ｃに複数本のリング溝状の凹部３、３、３を形成し、該凹部３、３、３にシール５、５、５とカバー６、６、６を設けた点で、このように構成したイヤリングとして使用することができる装身具１Ｅにしても、前記本発明を実施するための最良の第１の形態と同様な作用効果が得られる。
【００２２】
図２２ないし図２４に示す本発明を実施するための第７の形態において、前記本発明を実施するための第６の形態と主に異なる点は、装身具本体２Ｃにリング溝状の凹部３、３と、円、多角形その他の輪郭形状の凹部３Ａ、３Ｂ、３Ｃを形成し、該凹部３、３、３Ａ、３Ｂ、３Ｃにシール５、５、５Ａ、５Ｂ、５Ｃおよびカバー６、６、６Ａ、６Ｂ、６Ｃを設けた点で、このように構成した装身具１Ｆにしても、前記本発明を実施するための第６の形態と同様な作用効果が得られるとともに、より複雑なデザインを施すことができる。
【００２３】
なお、前記本発明を実施するための各形態ではシールを接着剤で凹部の底面に固定するものについて説明したが、本発明はあらかじめシールの裏面に接着剤や粘着剤を塗布したものを用いてもよい。
また、シールを接着剤で凹部の底面に固定することなく、凹部を覆うカバーでシールを固定してもよい。
さらに、前記本発明を実施するための各形態以外のブローチ、ネクタイピン、カフスボタン等の装身具にも同様に実施することができる。
【産業上の利用可能性】
【００２４】
本発明は装身具を製造する産業で利用される。
【図面の簡単な説明】
【００２５】
【図１】本発明を実施するための最良の第１の形態の使用状態の説明図。
【図２】本発明を実施するための最良の第１の形態の正面図。
【図３】本発明を実施するための最良の第１の形態の平面図。
【図４】本発明を実施するための最良の第１の形態の側面図。
【図５】図２の５−５線に沿う断面図。
【図６】本発明を実施するための最良の第１の形態の分解斜視図。
【図７】本発明を実施するための第２の形態の斜視図。
【図８】本発明を実施するための第２の形態の正面図。
【図９】図８の９−９線に沿う断面図。
【図１０】本発明を実施するための第３の形態の斜視図。
【図１１】本発明を実施するための第３の形態の正面図。
【図１２】図１１の１２−１２線に沿う断面図。
【図１３】本発明を実施するための第４の形態の斜視図。
【図１４】本発明を実施するための第４の形態の正面図。
【図１５】図１４の１５−１５線に沿う断面図。
【図１６】本発明を実施するための第５の形態の斜視図。
【図１７】本発明を実施するための第５の形態の正面図。
【図１８】図１７の１８−１８線に沿う拡大断面図。
【図１９】本発明を実施するための第６の形態の斜視図。
【図２０】本発明を実施するための第６の形態の正面図。
【図２１】図２０の２１−２１線に沿う拡大断面図。
【図２２】本発明を実施するための第７の形態の斜視図。
【図２３】本発明を実施するための第７の形態の正面図。
【図２４】図２３の２４−２４線に沿う拡大断面図。
【符号の説明】
【００２６】
１、１Ａ、１Ｂ、１Ｃ、１Ｄ、１Ｅ、１Ｆ：装身具、
２、２Ａ、２Ｂ、２Ｃ：装身具本体、
３、３Ａ、３Ｂ、３Ｃ、３Ｄ、３Ｅ：凹部、
４：着色あるいは模様、
４、５Ａ、５Ｂ、５Ｃ、５Ｄ、５Ｅ：シール、
６、６Ａ、６Ｂ、６Ｃ、６Ｄ、６Ｅ：カバー、
７：チェーン挿入リング、
８：取付具、
９：リング。
【図１】
2006102196.tif 000003
【図２】
2006102196.tif 000004
【図３】
2006102196.tif 000005
【図４】
2006102196.tif 000006
【図５】
2006102196.tif 000007
【図６】
2006102196.tif 000008
【図７】
2006102196.tif 000009
【図８】
2006102196.tif 000010
【図９】
2006102196.tif 000011
【図１０】
2006102196.tif 000012
【図１１】
2006102196.tif 000013
【図１２】
2006102196.tif 000014
【図１３】
2006102196.tif 000015
【図１４】
2006102196.tif 000016
【図１５】
2006102196.tif 000017
【図１６】
2006102196.tif 000018
【図１７】
2006102196.tif 000019
【図１８】
2006102196.tif 000020
【図１９】
2006102196.tif 000021
【図２０】
2006102196.tif 000022
【図２１】
2006102196.tif 000023
【図２２】
2006102196.tif 000024
【図２３】
2006102196.tif 000025
【図２４】
2006102196.tif 000026